(57)【要約】【課題】  数珠に関し、梵天の部分に汚れが付きにくくできるようにするとともに、梵天の見栄えをより良好にすることができるようにする。【解決手段】  複数の数珠玉の各貫通孔に芯糸１４を挿通して複数の数珠玉を１１〜１３輪形に連結して形成した本体部分１０と、本体部分１０に接続された梵天２０とからなる数珠において、梵天２０を、芯糸１４の延長部分により又は芯糸１４に連結された別の芯糸により構成された芯糸２１と、芯糸２１を貫通孔に挿通されて相互に連結された複数の玉２２〜２９とから構成する。【選択図】        図１
2006129999.tif 000002
【特許請求の範囲】
【請求項１】
複数の数珠玉の各貫通孔に第１の芯糸を挿通して該複数の数珠玉を輪形に連結して形成した本体部分と、該本体部分に接続された梵天とからなる数珠において、
該梵天は、該第１の芯糸の延長部分により又は該第１の芯糸に連結された別の芯糸により構成された第２の芯糸と、該第２の芯糸を貫通孔に挿通されて相互に連結された複数の玉とからなる
ことを特徴とする、数珠。
【請求項２】
該複数の梵天用の玉の最も端部寄りの玉は、その他の玉よりも大型の玉である
ことを特徴とする、請求項１記載の数珠。
【請求項３】
該複数の数珠玉及び該複数の梵天用の玉は、透明材又は半透明材により構成され、該第１の芯糸及び該第２の芯糸は、透明糸又は半透明糸により構成されている
ことを特徴とする、請求項１又は２記載の数珠。
【請求項４】
該複数の数珠玉のうち数珠の使用時に摩擦される部分の数珠玉は、耐磨耗性材料で構成されている
ことを特徴とする、請求項３記載の数珠。
【発明の詳細な説明】
【技術分野】
【０００１】
本発明は、梵天の構成を工夫した数珠に関するものである。
【背景技術】
【０００２】
数珠には、各宗派によって様々な形状のものがあるが、何れも、数珠玉に芯糸を通して連結して輪形に形成した本体部分と、この本体部分に接続された梵天又は梵々と呼ばれる付属部分とからなっている。
例えば、図２は特許文献１に記載された従来の数珠を示すもので、数珠１０１の本体部分は、標準径の数珠玉（以下、中珠という）１１２のそれぞれ形成された貫通孔に撚り糸１１３を挿通して、複数（通常１０８個程度）の中珠１１２，１１２…を輪形に形成し、これらの中珠１１２，１１２…の途中２箇所で標準径よりも大径の大珠１１４の貫通孔内で撚り糸１１３を結び止めた構成になっている。
【０００３】
そして、この大珠１１４の貫通孔内に２本または３本の編み糸１１５が結ばれて、各編み糸１１５と、各編み糸１１５の先端に設けられた、図示する球形の、或いは図示しない房状の端末部と、から梵天１２０が構成されている。夫々の梵天１２０の途中にも小珠１１２，１１２…が配されているが、夫々の梵天１２０の先端では、編み糸１１５と編み糸１１５と同材料で構成された端末部とが露出している。
【０００４】
なお、図２の示す梵天は２本になっているが、反対側の大珠１１４部分には３本の梵天が設けられている。
【特許文献１】特開２００２−２４８００９号公報
【発明の開示】
【発明が解決しようとする課題】
【０００５】
しかしながら、従来の数珠では、梵天１２０が布材の編み糸１１５でできているため、使用していくうちに汚れが付いてしまい、見栄えが悪くなってしまう。このため、梵天を汚れが付きにくくできるようにすることが望まれている。もちろん、汚れが付きにくくなっても、梵天の見栄えが悪くなってしまっては数珠の商品性を低下させてしまう。
ところで、特許文献１には、梵天１２０の周囲を糸で網目に編んだ梵天カバー１２１で覆うことにより、数珠に設けられた梵天を保護すると共に、梵天の形状を永続的に維持でき、さらに梵天の見栄えも良好にする事項が提案されているが、この場合も、使用していくうちに梵天カバー自体に汚れが付いてしまうという課題がある。
【０００６】
本発明はこのような課題に鑑み案出されたもので、梵天の部分に汚れが付きにくくできるようにするとともに、梵天の見栄えをより良好にすることができるようにした、数珠を提供することを目的とする。
【課題を解決するための手段】
【０００７】
上記目標を達成するため、本発明の数珠は、複数の数珠玉の各貫通孔に第１の芯糸を挿通して該複数の数珠玉を輪形に連結して形成した本体部分と、該本体部分に接続された梵天とからなる数珠において、該梵天は、該第１の芯糸の延長部分により又は該第１の芯糸に連結された別の芯糸により構成された第２の芯糸と、該第２の芯糸を貫通孔に挿通されて相互に連結された複数の玉とからなることを特徴としている（請求項１）。
【０００８】
なお、本体部分の複数の数珠玉を輪形に連結した状態や、梵天の複数の玉を相互に連結した状態では、複数の数珠玉の相互間や複数の玉の相互間には、数珠を柔軟に構成するという観点から微小な隙間が設けられることが好ましい。
また、複数の梵天用の玉の最も端部寄りの玉は、その他の玉よりも大型の玉であることが好ましい（請求項２）。
【０００９】
また、該複数の数珠玉及び該複数の梵天用の玉は、透明材又は半透明材により構成され、該第１の芯糸及び該第２の芯糸は、透明糸又は半透明糸により構成されていることが好ましい（請求項３）。この場合、該複数の数珠玉及び該複数の玉の全てを透明材又は半透明材により構成し、該第１の芯糸及び該第２の芯糸の全てを透明糸又は半透明糸により構成しても良いが、一部をアクセント的に不透明材又は不透明糸としてもよい。
【００１０】
さらに、該複数の数珠玉のうち数珠の使用時に摩擦される部分の数珠玉は、例えば硬質プラスティックなどの耐磨耗性材料で構成されていることが好ましい（請求項４）。
【発明の効果】
【００１１】
本発明の数珠によれば、梵天が、芯糸（第２の芯糸）とこの芯糸を貫通孔に挿通されて相互に連結された複数の玉とから構成されるので、梵天の部分の芯糸が複数の玉で覆われて剥き出しにならないので、汚れにくくなる利点がある。また、芯糸を覆う複数の玉により梵天の見栄えを向上させることが可能になる（請求項１）。
複数の玉の最も端部寄りの玉を、その他の玉よりも大型の玉とすれば、梵天の見栄えを向上させることができる（請求項２）。
【００１２】
該複数の数珠玉及び該複数の玉を透明材又は半透明材により構成し、該第１の芯糸及び該第２の芯糸を透明糸又は半透明糸により構成すれば、梵天を含めて全体に透明感のある数珠を構成でき、数珠の見栄えを向上させることができる（請求項３）。特に、全ての数珠玉及び玉を透明材で構成し、全ての芯糸を透明糸で構成すると、数珠全体が透明感の高い、ものになり、優れた見栄えを得ることができる。
【００１３】
該複数の数珠玉のうち数珠の使用時に摩擦される部分の数珠玉を耐磨耗性材料で構成すれば、数珠の耐久性を向上させることができる（請求項４）。
【発明を実施するための最良の形態】
【００１４】
以下、図面により、本発明の実施の形態について説明する。
図１は本発明の一実施形態にかかる数珠を示す外観図である。
図１に示すように、この数珠１は、複数の数珠玉１１，１２，１３の各貫通孔に芯糸（第１の芯糸）１４を挿通して複数の数珠玉１１，１２，１３を輪形に連結して形成した本体部分１０と、この本体部分１０に接続された２つの梵天２０Ａ，２０Ｂ（以下、各梵天を区別しない場合には符号２０で示す）とから構成されており、各梵天２０は、芯糸（第２の芯糸）２１ａ〜２１ｅ（以下、各芯糸を区別しない場合には符号２１で示す）と、この芯糸２１を貫通孔に挿通されて相互に連結された複数の梵天用の玉（梵天玉ともいう）２２〜２９とから構成されている。
【００１５】
なお、以下の説明では、本体部分１０の数珠玉について、大径，中径，小径と大きさを分類し、梵天２０Ａ，２０Ｂの玉について、大玉，中球，小玉と大きさを分類しているが、これらは、およその分類であって、各分類された大きさは、必ずしも単一ではない。ここでは、梵天２０Ａ，２０Ｂの大玉や中球や小玉は、それぞれ複数種類の大きさのものが用いられている。以下、本体部分１０と梵天２０Ａ，２０Ｂについて説明する。
【００１６】
本体部分１０は、球形で大径の２つの数珠玉１１ａ，１１ｂ（各大径数珠玉を区別しない場合には符号１１で示す）を中心に左右対称に構成されており、一方の大径数珠玉１１ａ内に挿通された芯糸１４には、梵天２０Ａの２本の芯糸２１ａ，２１ｂが接続され、他方の大径数珠玉１１ｂ内に挿通された芯糸１４には、少なくとも中間部から先端側が３本になった梵天２０Ｂの芯糸２１ｃ，２１ｄ，２１ｅが接続されている。なお、梵天２０の芯糸２１ａ〜２１ｅは、芯糸１４とは別の糸で構成し芯糸１４に結ばれても良いが、芯糸１２の延長部分により構成してもよい。
【００１７】
２つの大径数珠玉１１ａ，１１ｂ間の芯糸１２には、大径数珠玉１１ａ，１１ｂよりも小径で球形の中径数珠玉（本数珠玉）１２とソロバン型数珠玉１３とが配置されている。ここでは、大径数珠玉１１ａ側から７個の中径数珠玉１２が並べられ、これに続いて１つのソロバン型数珠玉１３を挟んで１４個の中径数珠玉１２が並べられ、さらにこれに続いて１つのソロバン型数珠玉１３を挟んで３３個の中径数珠玉１２が並べられており、もう１つの大径数珠玉１１ｂに至っている。したがって、中径数珠玉（本数珠玉）１２は、大径数珠玉１１ａ，１１ｂの片側で５４個、合計で１０８個備えられている。なお、ソロバン型数珠玉１３は中径数珠玉１２よりも小径のものが用いられている。
【００１８】
梵天２０Ａでは、２本の芯糸２１ａ，２１ｂは、大径数珠玉１１ａの直近と大径数珠玉１１ａから僅かに離隔した箇所とで互いに結ばれ、大径数珠玉１１ａの直近の結び目には、丸型又はソロバン型の小玉２２ａ（以下、各小玉２２ａ，２２ｂを区別しない場合には符号２２で示す）及びソロバン型の中玉２３ａ（以下、各ソロバン型中玉２３ａ，２３ｂを区別しない場合には符号２３で示す）が外装され、大径数珠玉１１ａから僅かに離隔したもう一つの結び目近傍には、ソロバン型の中玉２３ｂが外装されている。
【００１９】
また、大径数珠玉１１ａの直近（ソロバン型中玉２３ａ，２３ｂの相互間）の互いに分離した各芯糸２１ａ，２１ｂにも、それぞれ複数（ここでは、６個ずつ）のソロバン型の小玉２４ａ（以下、各ソロバン型小玉２４ａ〜２４ｃを区別しない場合には符号２４で示す）が外装されている。さらに、２本の芯糸２１ａ，２１ｂのソロバン型中玉２３ｂよりも先端側にも、複数（ここでは、６個ずつ）のソロバン型の小玉２４ｂが外装され、さらに、ソロバン型の大玉２５ａ（以下、各ソロバン型大玉２５ａ，２５ｂを区別しない場合には符号２５で示す）を挟んで複数（ここでは、１７個ずつ）のソロバン型の小玉２４ｃが外装されており、この先には、ソロバン型の大玉２５ｂと１つのソロバン型の小玉２２ｂとが外装されている。
【００２０】
なお、ここでは、ソロバン型小玉２４ａとソロバン型小玉２４ｂとソロバン型小玉２４ｃとはこれらの順に径が小さくなっており、ソロバン型小玉２２ｂはソロバン型小玉２４ｃと略同径に形成されている。また、ソロバン型大玉２５ｂはソロバン型大玉２５ａよりもやや大径に形成されている。
梵天２０Ｂでも、３本の芯糸２１ｃ〜２１ｅのうちの２本は、大径数珠玉１１ｂの直近と大径数珠玉１１ｂから僅かに離隔した箇所とで互いに結ばれ、大径数珠玉１１ｂの直近の結び目にはソロバン型の中玉２７ａ（以下、各ソロバン型中玉２７ａ〜２７ｄを区別しない場合には符号２７で示す）が外装され、大径数珠玉１１ｂから僅かに離隔したもう一つの結び目近傍にはソロバン型の中玉２７ｂが外装されている。また、大径数珠玉１１ｂの直近の互いに分離した二本の芯糸（芯糸２１ｃ〜２１ｅのうちの２つ）にも、それぞれ複数（ここでは、５個ずつ）のソロバン型の小玉２８ａ（以下、各ソロバン型小玉２８ａ〜２８ｇを区別しない場合には符号２８で示す）が外装されている。
【００２１】
さらに、ソロバン型の中玉２７ｂの外装された結び目から先端側では、３本の芯糸２１ｃ〜２１ｅが分離していて、このうち芯糸２１ｃ，２１ｄには、それぞれ複数（ここでは、６個ずつ）のソロバン型の小玉２８ｂ，２８ｃが外装され、さらに、ソロバン型の大玉２９ａ（以下、各ソロバン型大玉２９ａ〜２９ｃを区別しない場合には符号２９で示す）を挟んで複数（ここでは、１７個ずつ）のソロバン型の小玉２８ｄが外装されており、この先には、ソロバン型の大玉２９ｂと１つのソロバン型の小玉２６ａ（以下、各ソロバン型小玉２６ａ，２６ｂを区別しない場合には符号２６で示す）が外装されている。また、残る１本の芯糸２１ｅには、複数（ここでは、１８個）のソロバン型の小玉２８ｅ，２８ｆ，２８ｇが間にソロバン型の中玉２７ｃ，２７ｄを挟んで外装され、この先には、ソロバン型の大玉２９ｃと１つのソロバン型の小玉２６ｂとが外装されている。
【００２２】
なお、ここでは、ソロバン型小玉２６ａ，２６ｂ，２８ａ，２８ｂ，２８ｄ，２８ｅは比較的小型に、ソロバン型小玉２８ｃ，２８ｆは比較的大型に形成されている。また、末端のソロバン型の大玉１９ｂ，２９ｃは中間のソロバン型の大玉１９ｃよりも大径に形成されている。さらに、３本のうちの１本の芯糸２１ｅのソロバン型の玉は、大きさが相対的に大きいものと小さいものとが交互に配列されていてもよい。
【００２３】
ところで、上述のように、この数珠には、球形の玉とソロバン型の玉とが用いられているが、使用時に掌で握られて擦り合わされる部分には、触感や耐久性を優先して、表面が滑らかな球面形状の球形の玉が用いられ、その他の部分には、美観を優先して、表面がソロバン玉に似た形状のソロバン型の玉が用いられている。使用時に掌で握られて擦り合わされる部分とは、本体部分１０の数珠玉１１，１２，１３の少なくとも中径数珠玉（本数珠玉）１２の全部又は要部であり、この実施形態では、中径数珠玉１２の全部と大径数珠玉１１ａ，１１ｂに、球面玉が用いられている。その他の部分は、ソロバン型玉が用いられている。なお、中径数珠玉１２の間にソロバン型数珠玉１３があるが、この数珠玉１３は中径数珠玉１２よりも小径なので、掌で握られたり擦り合わされたりする際に、他の玉とあまり接触しないので、非球面形状であっての触感や耐久性に悪影響は与えない。
【００２４】
ところで、上述のような芯糸１４，２１ａ〜２１ｅには、透明の単繊維（モノフィラメント）が用いられている。特に、本体部分１０の芯糸１４は、掌で握られたり擦り合わされたりする部分なので、耐久性を考慮して比較的太めの糸を使用するのが好ましいが、あまり太くなると、使用時にゴワゴワ感を与え使い心地が低下するので、例えば、透明の単繊維を複数本（２本程度にしても十分な耐久性と柔軟性が得られる）にすることも好ましい。また、梵天２０Ａ，２０Ｂの芯糸２１ａ〜２１ｅは、あまり擦り合わされたりしない部分なので、耐久性よりも美観を考慮して、比較的細めの糸を使用するのが好ましい。この場合、透明の単繊維を複数本使用してもよいが、一本の単繊維のみを用いると比較的見栄えが良い。
【００２５】
なお、この透明の単繊維とは、例えば、釣糸として使用されるものを適用でき、材質としては、ナイロン，フロロカーボン等を適用できるが、数珠として要求される耐久性を確保できるものであれば材質は問わない。また、単繊維だけでなく、複数の繊維を編んだ（又は、撚った）編み糸（撚り糸）を用いても良い。また、見栄え上は、完全に透明であることが好ましく、本実施形態では完全に透明なものになっているが、半透明であってもよく、また、不透明であってもよい。
【００２６】
ここでは、ナイロン又はフロロカーボンの釣り糸を使用しており、本体部分１０の芯糸１４には４号程度の太さ（直径約０．３３ｍｍ）のものを２本併せて用い、梵天２０Ａ，２０Ｂの芯糸２１ａ〜２１ｅには２号程度の太さ（直径約０．２３５ｍｍ）のものをそれぞれ１本のみ用いている。
また、本体部分１０の数珠玉１１，１２，１３及び梵天２０Ａ，２０Ｂの玉２２〜２９は、いずれも、透明の玉が用いられている。この透明の玉の代表的なものには、所謂ビーズがあるが、ビーズにも、一般的なガラス製ビーズやクリスタルガラス製のビーズのほか、プラスティック製ビーズなどがあり、これらを適宜適用することができる。特に、もちろん、水晶等の他の材料を用いても良い。この場合も、見栄え上は、完全に透明であることが好ましく、本実施形態では完全に透明なものになっているが、半透明であってもよく、また、不透明であってもよい。
【００２７】
本実施形態では、ガラス製又はクリスタルガラス製のビーズと、プラスティック製ビーズとが用いられている。特に、掌で握られ擦り合わされる部分（摩擦される部分）である本体部分１０の中径数珠玉（本数珠玉）１２の要部（即ち、大径数珠玉１１ａ，１１ｂの直近の７つずつを除いた各中径数珠玉１２）については、耐摩耗性の高い硬質プラスティック製ビーズが用いられ、その他の部分には、ガラス製又はクリスタルガラス製のビーズが用いられている。
【００２８】
本発明の一実施形態にかかる数珠は上述のように構成されているので、以下のような効果や利点が得られる。
つまり、梵天２０が、芯糸２１を相互に連結された複数の玉２２〜２９で被覆した構成になっているので、梵天２０の芯糸２１が剥き出しにならず、梵天２０が汚れにくくなる利点がある。
【００２９】
また、梵天の部分は、使用時に手で握り締められたりしないので丸型のものの必要はなく、本実施形態では、梵天の芯糸２１を覆う複数の梵天玉２２〜２９にソロバン型のものを多用している（全てソロバン形でも良い）。これにより、梵天２０の見栄えを向上させることができる。特に、複数のソロバン型の玉２２〜２９の大きさについては、最も端部寄りの玉をその他の玉よりも大型の玉としているので、従来の梵天に近い外観を得ながら、見栄えを向上させることができる。
【００３０】
また、数珠の本体部分１０の芯糸１４及び各数珠玉１１〜１３と、梵天２０の芯糸２１及び各玉２２〜２９を透明材により構成しているので、梵天を含めて全体に透明感のある数珠を構成でき、優れた見栄えを得ることができる。
さらに、複数の数珠玉のうち数珠の使用時に摩擦される部分の数珠玉には、耐磨耗性材料である硬質プラスティック製ビーズが用いられているので、数珠の耐久性を向上させることができ、また、硬質プラスティックといえども、ガラス等に比べて柔軟性があるので、割れにくいだけでなく、柔らかい触感が得られ、使用フィーリングも向上させることができる。
【００３１】
以上、本発明の実施の形態について説明したが、本発明は、上述の実施形態に限定されるものではなく、本発明の趣旨を逸脱しない範囲で種々の変形が可能である。
例えば、数珠玉の数や梵天の形状など、数珠の構成は宗派等によって異なるものであるが、本発明は、いずれの構造の数珠に対しても適用可能である。
また、梵天に使用する玉の数や形状も上述の実施形態に限定されるものではなく、さらに、芯糸や数珠玉や梵天玉の材料も上述の実施形態に限定されるものではない。
【００３２】
芯糸や数珠玉や梵天玉については、透明であることが好ましいが、半透明や不透明であってもよく、また、例えば、透明材料を主体に用いて、不透明材料をアクセントのように用いることも考えられ、優れた見栄えを得るために、種々の材料を組み合わせることもできる。
また、特に、上記実施形態では、芯糸や数珠玉や梵天玉の色については限定していないが、最も一般的には、無色透明であるが、これらの一部又はすべてを色付き（色付きの透明，色付きの半透明，色付きの不透明）にしても良い。もちろん、各材料や各色の組み合わせも考えられる。
【図面の簡単な説明】
【００３３】
【図１】本発明の一実施形態にかかる数珠の全体構成を示す外観図である。
【図２】従来の数珠の要部構成を示す外観図である。
【符号の説明】
【００３４】
１  数珠
１０  本体部分
１１，１１ａ，１１ｂ  大径数珠玉
１２  中径数珠玉（本数珠玉）
１３  ソロバン型数珠玉
１４  芯糸（第１の芯糸）
２０，２０Ａ，２０Ｂ  梵天
２１，２１ａ〜２１ｅ  芯糸（第２の芯糸）
２２，２２ａ，２２ｂ  玉（梵天玉）としてのソロバン型小玉
２３，２３ａ〜２３ｃ  玉（梵天玉）としてのソロバン型中玉
２４，２４ａ〜２４ｃ  玉（梵天玉）としてのソロバン型小玉
２５，２５ａ，２５ｂ  玉（梵天玉）としてのソロバン型大玉
２６，２６ａ〜２６ｃ  玉（梵天玉）としてのソロバン型小玉
２７，２７ａ〜２７ｄ  玉（梵天玉）としてのソロバン型中玉
２８，２８ａ〜２８ｅ  玉（梵天玉）としてのソロバン型小玉
２９，２９ａ〜２９ｃ  玉（梵天玉）としてのソロバン型大玉
【図１】
2006129999.tif 000003
【図２】
2006129999.tif 000004